(57)【要約】【課題】蛍光ランプ照明等を備えた照明器具に対して、他の照明器具を接続するための照明器具接続部品において、脱着を簡便に行なえるようにする。【解決手段】照明器具接続部品を、２本のレール内に挿入される挿入部２２と、挿入部２２と照明部２１とを接合する支持軸２３とから構成する。支持軸２３は、基軸２４と外装部２５とから構成し、基軸２４は挿入部２２に固着し、外装部２５は照明部２１に保持させる。外装部２５は基軸２４の長手方向Ｄに沿って摺動可能に構成し、基軸２４の内部には両端に保持部２７、２８が固着されたスプリング２６を設け、一方の保持部２７は挿入部２２に固着し、他方の保持部２８は外装部２５に固着する。【選択図】図４
0003138788.tif 000002
【実用新案登録請求の範囲】
【請求項１】
規制部と、該規制部を支持する支持部とからなるレールが、所定間隔をおいて対向するように２本配されたレール部に照明器具を脱着するための照明器具接続部品であって、
２本の前記レール内に挿入される挿入部と、該挿入部と照明部とを接合する支持軸とからなり、
前記挿入部は、縦方向Ｈの長さが前記レールの前記支持部同士の間隔Ｌ１と略等しく、横方向Ｗの長さが前記レールの前記規制部同士の間隔Ｌ２と前記支持部の側面から前記規制部の端部までの長さＬ３との合計の長さよりも短く構成されたものであり、
前記支持軸は、前記縦方向Ｈの幅が前記間隔Ｌ２と略等しい外装部と、一端に前記挿入部が固着された基軸とからなり、前記外装部が、前記基軸の長手方向Ｄに沿って摺動可能に構成されるとともに、前記挿入部が固着された方向に付勢されていることを特徴とする照明器具接続部品。
【考案の詳細な説明】
【技術分野】
【０００１】
蛍光ランプ照明等を備えた照明器具に対して、他の照明器具を結合、分離可能にするための照明器具接続部品に関するものである。
【背景技術】
【０００２】
百貨店、スーパー、専門店等で使用される商品展示販売用陳列棚等の什器用蛍光ランプ器具（例えば特許文献１）は、棚板の長手寸法に一致させ棚板全体を出来るだけ均一に照明する必要性から極めて多くの長さの異なる照明器具を商品として揃えている。全体照明に優れた直線光源の蛍光ランプ器具は固定壁や自立型の棚什器に広く使用されている。棚什器用の照明器具は展示商品の邪魔にならないよう極力薄くすることが求められ、またガラス棚に使用される場合は上段ガラスから下段を出来るだけ見渡せるよう器具幅も狭くすることが求められている。
【０００３】
一方、貴金属類やクリスタルガラス類等の商品照明には購買意欲向上を狙い、光源の商品反射等による煌めきを重視して指向性が強く輝きの高いハロゲンランプ（点光源スポット照明）が好まれて使用されていた。貴金属類は高価で極めて小さな外観で有りながら高度の煌めきを要求されるため、店舗全体を暗くし、かつ小型小容積の貴金属陳列ガラスケースが多く利用され、そして陳列ケース外の天井や壁等の遠距離からハロゲンランプの強力な光を陳列ケースのガラス越しに間接的に照明する手法が多く使用されてきた。それはハロゲンランプが高輝度の光と共に多くの熱を伴う点光源であるので、小型小容積の展示ケース内に光源を設置できず遠距離より照射する必要があるためであり、従って、近接照明に比べて多くの電力を要するため省エネルギー化に逆行し、更には店舗の空調設備容量にも大きく影響を与えている現状がある。
【０００４】
なお、スポット照明が好まれて使用される貴金属類照明は極めて小さな外観の商品が多い事から、発熱が少なく、演色性が高く、器具外観が小さい点光源を展示ケース内の近距離から照明するのが好ましく、このような光源としてはＬＥＤ光源が適しているが、今までのＬＥＤ光源では輝き、コスト、光量等の点の他、特にベース照明無しのＬＥＤ単独照明とした場合に平均照度確保のために多くのＬＥＤを必要とする事によりコストが増大することから、使用が躊躇されてきた。しかし近年、ＬＥＤメーカー各社の開発が進み白色発光ダイオード等は年々発光効率が向上して蛍光ランプ照明環境下でも明確に確認できる明るいＬＥＤスポットの商品化が進み、また製品単価も下がって比較的入手しやすくなってきている。
【特許文献１】特許公開平７−２３１８３８号公報
【考案の開示】
【考案が解決しようとする課題】
【０００５】
上記のように、蛍光ランプ等の全体照明器具とハロゲンランプやＬＥＤ等のスポット照明器具とは各々長所が異なるので、両者を同時に使用することが好ましいが、これらが一体となっている器具は少なかった。
【０００６】
そのため、蛍光ランプ照明等を備えた全体照明器具に対して、後からＬＥＤ光源等のスポット照明器具を取り付けることが考えられるが、この場合、蛍光ランプ照明器具の側面に直接ネジ止めするか、または挟み込み金具等を用いて照明器具の側面と挟み込み金具とでスポット照明器具を挟持した状態で固定する必要があるので、追加照明器具の脱着に手間を要し、また追加照明器具の取外時にはネジや挟み込み金具等を保管しておかなくてはならないという煩わしさもあった。
【０００７】
そのため、このような問題を解消するとともに、店員等電気工事に関係のない一般の人でも自由に追加照明器具の位置を変更できるように、追加照明器具の脱着を容易に行なうことが可能な接続部品が求められている。
【０００８】
本考案はこのような要望に応えてなされたものであり、蛍光ランプ照明等を備えた照明器具に対して、他の照明器具を簡便に脱着可能な照明器具接続部品を提供することを目的とするものである。
【課題を解決するための手段】
【０００９】
本考案の照明器具接続部品は、規制部と、規制部を支持する支持部とからなるレールが、所定間隔をおいて対向するように２本配されたレール部に照明器具を脱着するための照明器具接続部品であって、２本のレール内に挿入される挿入部と、挿入部と照明部とを接合する支持軸とからなり、挿入部は、縦方向Ｈの長さがレールの支持部同士の間隔Ｌ１と略等しく、横方向Ｗの長さがレールの規制部同士の間隔Ｌ２と支持部の側面から規制部の端部までの長さＬ３との合計の長さよりも短く構成されたものであり、支持軸は、縦方向Ｈの幅が間隔Ｌ２と略等しい外装部と、一端に挿入部が固着された基軸とからなり、外装部が、基軸の長手方向Ｄに沿って摺動可能に構成されるとともに、挿入部が固着された方向に付勢されていることを特徴とするものである。
【００１０】
ここで、「挿入部の縦方向Ｈの長さがレールの支持部同士の間隔Ｌ１と略等しい」とは、縦方向Ｈの長さが、間隔Ｌ１を超えず、間隔Ｌ１に近い長さを意味する。
【００１１】
また、「外装部の縦方向Ｈの幅が間隔Ｌ２と略等しい」とは、縦方向Ｈの長さが、間隔Ｌ２を超えず、間隔Ｌ２に近い長さを意味する。
【００１２】
また、照明器具接続部品を上記長手方向Ｄから見た場合に、挿入部は、上記縦方向Ｈおよび上記横方向Ｗともに、外装部に対して長さＬ３以内で突出させる必要がある。
【００１３】
さらに、外装部は、基軸の長手方向Ｄに沿って摺動は可能であるが、回転はできないように構成する必要がある。
【考案の効果】
【００１４】
本考案の照明器具接続部品によれば、２本のレール内に挿入される挿入部の縦方向Ｈの長さをレールの支持部同士の間隔Ｌ１と略等しく、横方向Ｗの長さをレールの規制部同士の間隔Ｌ２と支持部の側面から規制部の端部までの長さＬ３との合計の長さよりも短く構成しているので、挿入部を２本のレール内に挿入した後、９０度回転させれば挿入部がレール内から外れなくなる。
【００１５】
また、支持軸を、縦方向Ｈの幅が間隔Ｌ２と略等しい外装部と、一端に挿入部が固着された基軸とから構成し、挿入部を２本のレール内に挿入して９０度回転させた後、外装部を挿入部側に移動させることにより、外装部が照明器具の回転を規制するように働く。さらに外装部は挿入部側に付勢されているので、人為的に外装部を移動させなければ照明器具を回転させることができないため、照明器具が勝手に回転して外れ落ちてしまうのを防止することができる。
【００１６】
上記のように構成されているため、外装部を挿入部と反対側に移動させた状態で、挿入部を２本のレール内に挿入して９０度回転させた後、外装部を挿入部側に移動させるという簡単な動作で照明器具を脱着できるようにすることが可能となる。
【考案を実施するための最良の形態】
【００１７】
以下、本考案にかかる第１の実施の形態の照明器具接続部品について、図面を参照して詳細に説明する。図１は本考案の第１の実施の形態の照明器具接続部品を備えたスポット照明器具を接続する什器照明器具の構成を示す側面図、図２は上記什器照明器具の蛍光ランプ照明部の構成を示す斜視図、図３は上記蛍光ランプ照明部の断面図、図４は上記スポット照明器具の構成を示す部分断面図、図５は上記照明器具接続部品の挿入部の構成を示す図、図６は上記スポット照明器具を上記蛍光ランプ照明部に取り付ける際の手順を示す図、図７は上記スポット照明器具を上記蛍光ランプ照明部から取り外す際の手順を示す図である。
【００１８】
図１〜３に示すように、什器照明器具１は、蛍光ランプ照明部１０が、固定壁５に取付金具６により固定され、蛍光ランプ照明部１０および取付金具６の上側に棚７が固定された構造となっている。
【００１９】
蛍光ランプ照明部１０は、断面が長手方向全体で均一な全体カバー１１と、蛍光ランプ１４と、蛍光ランプ１４に電力を供給するための不図示の安定器と、この安定器を覆うための安定器カバー１３とから構成されている。また、全体カバー１１にはレール１２が２本対向するように形成されている。
【００２０】
図４に示すように、スポット照明器具２０は、ＬＥＤ光源を内蔵した照明部２１と、この照明部２１を蛍光ランプ照明部１０に接続するための照明器具接続部品とから構成されている。（以後、縦方向Ｈ、横方向Ｗ、長手方向Ｄと記載した場合には、図４における方向を意味する。）
照明器具接続部品は、２本のレール１２内に挿入される挿入部２２と、挿入部２２と照明部２１とを接合する支持軸２３とからなる。支持軸２３は、断面が口状の基軸２４と同じく断面が口状の外装部２５とからなり、基軸２４は挿入部２２に固着され、外装部２５は照明部２１に図４中縦方向Ｈに回転自在に保持されている。また、外装部２５は基軸２４の長手方向Ｄに沿って摺動は可能であるが回転はできないように構成されている。さらに、基軸２４の内部には両端に保持部２７、２８が固着されたスプリング２６が設けられており、一方の保持部２７は挿入部２２に固着され、他方の保持部２８は外装部２５に固着されている。これにより外装部２５は基軸２４の長手方向Ｄに沿って摺動可能であるとともに、挿入部２２方向に付勢されることになる。
【００２１】
ここで、２本のレール１２と、挿入部２２との寸法関係について図５を用いて詳細に説明する。
【００２２】
レール１２は、規制部１２ｂと、これを支持する支持部１２ａとからなり、支持部１２ａと規制部１２ｂとが略Ｌ字状に形成されている。２本のレール１２は互いにＬ字の内側が対向するように配されている。
【００２３】
レール１２の支持部１２ａ同士の間隔をＬ１、レール１２の規制部１２ｂ同士の間隔をＬ２、支持部１２ａの側面から規制部１２ｂの端部までの長さをＬ３とした場合、挿入部２２は、縦方向Ｈの長さが間隔Ｌ１と略等しく、横方向Ｗの長さが間隔Ｌ２と長さＬ３との合計の長さよりも短くなるように構成されている。
【００２４】
一例として具体的な数値を挙げると、レール１２の支持部１２ａ同士の間隔Ｌ１を１４ｍｍ、レール１２の規制部１２ｂ同士の間隔Ｌ２を８ｍｍ、支持部１２ａの側面から規制部１２ｂの端部までの長さＬ３を３ｍｍとし、挿入部２２の縦方向Ｈの長さを１３ｍｍ、横方向Ｗの長さを９ｍｍとすることができる。なお、挿入部２２はレール１２内で回転させる必要があるため、少なくとも一対の対辺の角取りを行なう必要がある。また、このときの外装部２５の縦方向Ｈの長さは８ｍｍとする。
【００２５】
上記のように構成されたスポット照明器具２０を蛍光ランプ照明部１０に着脱する際の手順について説明する。
【００２６】
スポット照明器具２０を蛍光ランプ照明部１０に取り付ける際は、図６（Ａ）に示すように、まず外装部２５を挿入部２２と反対側に移動させた状態で挿入部２２の下端を下側のレール１２の規制部１２ｂに引っ掛ける。次に、図６（Ｂ）に示すように、挿入部２２の全体を２本のレール１２内に挿入した状態で９０度回転させる。そして図６（Ｃ）に示すように、外装部２５を挿入部２２側に移動させることにより、取付けが完了する。その後、不図示の給電用のコネクターを不図示の電源に接続することにより、照明部２１に電力が供給可能になる。
【００２７】
このとき、外装部２５の縦方向Ｈの長さは、レール１２の規制部１２ｂ同士の間隔Ｌ２と略等しくなっているので、外装部２５がスポット照明器具２０の回転を規制するように働く。さらに外装部２５は挿入部２２側に付勢されているので、人為的に外装部２５を移動させなければスポット照明器具２０を回転させることができないため、スポット照明器具２０が勝手に回転して外れ落ちてしまうのを防止することができる。
【００２８】
スポット照明器具２０を蛍光ランプ照明部１０から取り外す際は、給電用コネクターを電源から分離させ、図７（Ａ）に示すように、まず外装部２５を挿入部２２と反対側に移動させた状態で取付時と反対方向に９０度回転させる。そして図７（Ｂ）に示すように、スポット照明器具２０を下方に傾けて２本のレール１２内から抜き出すことにより、取外しが完了する。
【００２９】
上記で説明した通り、本考案の照明器具接続部品を用いれば、別途ネジや固定用金具等を用いる必要なく、スポット照明器具２０と蛍光ランプ照明部１０との脱着を容易に行なわせることが可能である。
【００３０】
なお、本実施の形態では、スプリング２６の両端の保持部２７、２８のうち、挿入部２２側の保持部２７を挿入部２２に固着し、照明部２１側の保持部２８を外装部２５に固着して、スプリング２６の伸張により外装部２５を挿入部２２側に付勢する態様としていたが、基軸２４の挿入部２２側端部付近に基軸２４の長手方向Ｄに沿って延びるスライド孔を形成するとともに、このスライド孔を介して外装部２５と挿入部２２側の保持部２７をネジにより固着し、照明部２１側の保持部２８を基軸２４の照明部２１側端部に固着して、スプリング２６の圧縮により外装部２５を挿入部２２側に付勢する態様としてもよい。
【００３１】
次に、本考案にかかる第２の実施の形態の照明器具接続部品について説明する。図４は本実施の形態のスポット照明器具の構成を示す部分断面図である。本実施の形態は、上記第１の実施の形態と比べ、照明器具接続部品の支持軸の構成を変更したものである。その他の構成、およびスポット照明器具を蛍光ランプ照明部に着脱する際の手順については同様であるため、これらに関する説明は省略する。
【００３２】
図８に示すように、本実施の形態のスポット照明器具１２０は、ＬＥＤ光源を内蔵した照明部１２１と、この照明部１２１を蛍光ランプ照明部１０に接続するための照明器具接続部品とから構成されている。
【００３３】
照明器具接続部品は、２本のレール１２内に挿入される挿入部１２２と、挿入部１２２と照明部１２１とを接合する支持軸１２３とからなる。支持軸１２３は、基軸１２４と外装部１２５とからなり、基軸１２４の摺動軸部１２４ａにスプリング１２６と外装部１２５が挿入された状態で、基軸１２４の一端は挿入部１２２に固着され、他端は照明部１２１に図８中縦方向Ｈ方向に回転自在に保持されている。これにより外装部１２５は基軸１２４の長手方向Ｄに沿って摺動可能であるとともに、挿入部１２２方向に付勢されることになる。
【００３４】
このような構成としても、上記第１の実施の形態と同様の効果を得ることができる。
【００３５】
以上、本考案の照明器具接続部品の好ましい実施の形態について説明したが、本考案の照明器具接続部品は上記のＬＥＤスポット照明器具への適用に限られるものではなく、他の照明器具への適用も可能である。また、挿入部のサイズおよび形状や、支持軸の構成についても、本考案の効果を得られる範囲でどのようなものとしてもよい。
【図面の簡単な説明】
【００３６】
【図１】本考案の第１の実施の形態の照明器具接続部品を備えたスポット照明器具を接続する什器照明器具の構成を示す側面図
【図２】上記什器照明器具の蛍光ランプ照明部の構成を示す斜視図
【図３】上記蛍光ランプ照明部の断面図
【図４】上記スポット照明器具の構成を示す部分断面図
【図５】上記照明器具接続部品の挿入部の構成を示す図
【図６】上記スポット照明器具を上記蛍光ランプ照明部に取り付ける際の手順を示す図
【図７】上記スポット照明器具を上記蛍光ランプ照明部から取り外す際の手順を示す図
【図８】本考案の第２の実施の形態の照明器具接続部品を備えたスポット照明器具の構成を示す部分断面図
【符号の説明】
【００３７】
１    什器照明器具
５    固定壁
６    取付金具
７    棚
１０    蛍光ランプ照明部
１１    全体カバー
１２    レール
１３    安定器カバー
１４    蛍光ランプ
２０、１２０    スポット照明器具
２１、１２１    照明部
２２、１２２    挿入部
２３、１２３    支持軸
２４、１２４    基軸
２５、１２５    外装部
２６、１２６    スプリング
【図１】
0003138788.tif 000003
【図２】
0003138788.tif 000004
【図３】
0003138788.tif 000005
【図４】
0003138788.tif 000006
【図５】
0003138788.tif 000007
【図６】
0003138788.tif 000008
【図７】
0003138788.tif 000009
【図８】
0003138788.tif 000010